(57)【特許請求の範囲】
【請求項１】
受信した放送信号から番組コンテンツデータを抽出する番組コンテンツデータ取得部と、
視聴者による操作に応じた操作信号を取り込む操作信号取得部と、
前記操作信号に基づいて、操作の履歴情報である視聴者側履歴情報を生成する履歴情報生成部と、
前記番組コンテンツデータに対応付けられたアプリケーション情報テーブルに基づき、放送通信連携サービスを実現させる実行プログラムであるアプリケーションを、外部のアプリケーション記憶装置から取り込むアプリケーション取得部と、
前記アプリケーションの実行により、前記視聴者側履歴情報を、外部装置に供給する視聴者側履歴情報供給部と、
前記視聴者側履歴情報を取り込んだ前記外部装置によって前記視聴者側履歴情報に基づき指定された広告コンテンツデータに対応する広告コンテンツ識別情報と前記広告コンテンツデータの提示時間を示す広告提示時刻情報とを含む個人向け広告管理情報を、前記外部装置から取り込む広告管理情報取得部と、
前記個人向け広告管理情報に基づき、外部の広告コンテンツ記憶装置から、映像データと音声データとを含む前記広告コンテンツデータを取り込む配信コンテンツデータ取得部と、
前記広告提示時刻情報が示す前記提示時間を除く時間において前記番組コンテンツデータを提示し、前記提示時間において前記広告コンテンツデータを提示する提示部と、
を備えることを特徴とする受信機。
【請求項２】
前記番組コンテンツデータに対応付けられたアプリケーション提示制御情報に基づき、前記広告コンテンツデータの提示を許可するかまたは禁止するかを示す指示情報を前記提示部に通知する提示制御部をさらに備え、
前記提示部は、前記広告コンテンツデータの提示を許可することを示す指示情報を前記提示制御部から通知された場合に、前記提示時間において前記広告コンテンツデータを提示する
ことを特徴とする請求項１記載の受信機。
【請求項３】
前記操作信号が、前記広告コンテンツデータの提示を禁止することを示す個人向け広告提示禁止情報である場合、前記提示部による前記広告コンテンツデータの提示処理を禁止し、前記広告コンテンツデータの提示を許可することを示す個人向け広告提示許可情報である場合、前記提示部による前記広告コンテンツデータの提示処理を許可する広告コンテンツ提示制御部
をさらに備えることを特徴とする請求項１または２記載の受信機。
【請求項４】
前記操作信号が、前記視聴者側履歴情報が有効であることを示す操作履歴有効情報である場合、前記履歴情報生成部による前記視聴者側履歴情報の生成処理を許可し、前記視聴者側履歴情報が無効であることを示す操作履歴無効情報である場合、前記履歴情報生成部による前記視聴者側履歴情報の生成処理を禁止する操作履歴制御部
をさらに備えることを特徴とする請求項１から３いずれか一項記載の受信機。
【請求項５】
前記放送信号に緊急消去信号が含まれている場合に、前記放送信号から前記緊急消去信号を検出する緊急消去信号検出部と、
前記緊急消去信号検出部が前記緊急消去信号を検出したことに応じて、前記広告コンテンツデータの提示処理を停止させるアプリケーション強制停止制御部と、
をさらに備えることを特徴とする請求項１から４いずれか一項記載の受信機。
【請求項６】
前記緊急消去信号検出部は、前記放送信号内のＡＣ信号またはＴＭＣＣ信号のいずれかの信号領域に緊急消去信号が含まれている場合に、前記緊急消去信号を検出する、
ことを特徴とする請求項５に記載の受信機。
【発明の詳細な説明】
【技術分野】
【０００１】
本発明は、受信機に関する。
【背景技術】
【０００２】
近年、放送通信連携サービスを実現するための研究が行われている（例えば、非特許文献１参照）。この放送通信連携サービスでは、一例として、受信機が、放送番組に対応付けられたアプリケーションをアプリケーション管理サーバから取得して実行することによって、サービスサーバから配信コンテンツデータを取得する。そして、受信機は、放送受信により取得した番組コンテンツデータと、ネットワーク通信により取得した配信コンテンツデータとを対応付けて再生する。
【０００３】
この放送通信連携サービスによれば、受信機は、放送番組に対応付けられたアプリケーションを実行することにより、このアプリケーションに対応付けられた配信コンテンツデータや、視聴者による要求に応じた配信コンテンツデータをサービスサーバから取得し、例えば、番組コンテンツデータと配信コンテンツデータとを同期させて再生することができる。
【先行技術文献】
【非特許文献】
【０００４】
【非特許文献１】三矢茂明、松村欣司、馬場秋継、藤沢寛、武智秀、山本真、金次保明、浜田浩行、ＮＨＫ放送技術研究所、「ＨｙｂｒｉｄｃａｓｔＴＭ実現に向けた仕様検討と基本機能の試作」、２０１０年映像情報メディア学会冬季大会、２０１０年、１０−３
【発明の概要】
【発明が解決しようとする課題】
【０００５】
人間の趣味や嗜好は個人ごとに異なるため、放送番組における番組スポット（番組紹介、番組予告等）やコマーシャルメッセージ等の広告に対する視聴者の興味も個人ごとに異なると想定される。
そこで、本発明は上記の事情に鑑みてなされたものであり、放送通信連携サービスにおいて、視聴者個人に適した個人向け広告コンテンツデータを提供することができる、受信機および広告管理装置を提供することを目的とする。
【課題を解決するための手段】
【０００６】
［１］上記の課題を解決するため、本発明の一態様である受信機は、受信した放送信号から番組コンテンツデータを抽出する番組コンテンツデータ取得部と、視聴者による操作に応じた操作信号を取り込む操作信号取得部と、前記操作信号に基づいて、操作の履歴情報である視聴者側履歴情報を生成する履歴情報生成部と、前記番組コンテンツデータに対応付けられたアプリケーション管理情報に基づき、放送通信連携サービスを実現させる実行プログラムであるアプリケーションを、外部のアプリケーション記憶装置から取り込むアプリケーション取得部と、前記アプリケーションの実行により、前記視聴者側履歴情報を、外部装置に供給する視聴者側履歴情報供給部と、前記視聴者側履歴情報を取り込んだ前記外部装置によって前記視聴者側履歴情報に基づき指定された広告コンテンツデータに対応する広告コンテンツ識別情報と前記広告コンテンツデータの提示時間を示す広告提示時刻情報とを含む個人向け広告管理情報を、前記外部装置から取り込む広告管理情報取得部と、前記個人向け広告管理情報に基づき、外部の広告コンテンツ記憶装置から前記広告コンテンツデータを取り込む配信コンテンツデータ取得部と、前記広告提示時刻情報が示す前記提示時間を除く時間において前記番組コンテンツデータを提示し、前記提示時間において前記広告コンテンツデータを提示する提示部と、を備えることを特徴とする。
［２］上記［１］記載の受信機において、前記番組コンテンツデータに対応付けられたアプリケーション提示制御情報に基づき、前記広告コンテンツデータの提示を許可するかまたは禁止するかを示す指示情報を前記提示部に通知する提示制御部をさらに備え、前記提示部は、前記広告コンテンツデータの提示を許可することを示す指示情報を前記提示制御部から通知された場合に、前記提示時間において前記広告コンテンツデータを提示することを特徴とする。
［３］上記［１］または［２］記載の受信機において、前記操作信号が、前記広告コンテンツデータの提示を禁止することを示す個人向け広告提示禁止情報である場合、前記提示部による前記広告コンテンツデータの提示処理を禁止し、前記広告コンテンツデータの提示を許可することを示す個人向け広告提示許可情報である場合、前記提示部による前記広告コンテンツデータの提示処理を許可する広告コンテンツ提示制御部をさらに備えることを特徴とする。
［４］上記［１］から［３］いずれか一項記載の受信機において、前記操作信号が、前記視聴者側履歴情報が有効であることを示す操作履歴有効情報である場合、前記履歴情報生成部による前記視聴者側履歴情報の生成処理を許可し、前記視聴者側履歴情報が無効であることを示す操作履歴無効情報である場合、前記履歴情報生成部による前記視聴者側履歴情報の生成処理を禁止する操作履歴制御部をさらに備えることを特徴とする。
［５］上記［１］から［４］いずれか一項記載の受信機において、前記放送信号に緊急消去信号が含まれている場合に、前記放送信号から前記緊急消去信号を検出する緊急消去信号検出部と、前記緊急消去信号検出部が前記緊急消去信号を検出したことに応じて、前記広告コンテンツデータの提示処理を停止させるアプリケーション強制停止制御部と、をさらに備えることを特徴とする。
【０００７】
［６］上記の課題を解決するため、本発明の一態様である個人向け広告管理装置は、受信機における視聴者による操作の履歴情報である視聴者側履歴情報を前記受信機から取り込んで、前記視聴者側履歴情報を視聴者嗜好情報生成装置に供給し、前記視聴者側履歴情報を取り込んだ前記視聴者嗜好情報生成装置によって前記視聴者側履歴情報に基づき生成された視聴者嗜好情報を、前記視聴者嗜好情報生成装置から取り込む視聴者嗜好情報取得部と、放送番組を識別する番組識別情報と広告コンテンツデータの提示時間を示す広告提示時刻情報と前記放送番組において、前記広告コンテンツデータとして提示可能な広告コンテンツデータの識別情報である提示可能広告コンテンツ識別情報とを対応付けた広告制御情報を放送局装置から取り込み、前記視聴者嗜好情報取得部が取り込んだ前記視聴者嗜好情報と前記放送局装置から取り込んだ前記広告制御情報とに基づいて、外部の広告コンテンツ記憶装置から、前記広告コンテンツデータを選択して前記広告コンテンツデータを識別する広告コンテンツ識別情報を取り込み、前記広告コンテンツ識別情報を前記受信機に供給する広告関連情報管理部と、を備えることを特徴とする。
【発明の効果】
【０００８】
放送通信連携サービスにおいて、視聴者個人に適した個人向け広告コンテンツデータを提供することができる。
【図面の簡単な説明】
【０００９】
【図１】本発明の一実施形態である受信機およびサーバ装置を適用した放送通信連携システムの概略の全体構成図である。
【図２】後述する放送局サービスサーバが生成する広告制御情報のデータ構成を示す図である。
【図３】受信機が生成する受信機操作履歴情報のデータ構成を示す図である。
【図４】端末装置が生成する端末利用履歴情報のデータ構成を示す図である。
【図５】視聴者関連情報管理部が記憶する視聴者関連情報のデータ構成を示す図である。
【図６】広告関連情報管理部が生成する広告関連情報のデータ構成を示す図である。
【図７】広告関連情報管理部が生成する個人向け広告管理情報のデータ構成を示す図である。
【図８】広告コンテンツサーバが記憶する広告コンテンツ情報のデータ構成を示す図である。
【図９】同実施形態において、放送局装置群の概略の機能構成を示すブロック図である。
【図１０】同実施形態において、サービスサーバ群の概略の機能構成を示すブロック図である。
【図１１】同実施形態において、受信機の概略の機能構成を示すブロック図である。
【図１２】同実施形態において、個人向け広告管理サーバおよび視聴者嗜好情報生成装置が実行する、視聴者嗜好情報の生成・取得処理の手順を示すフローチャートである。
【図１３】同実施形態において、個人向け広告管理サーバおよび受信機が実行する、個人向け広告管理情報の生成・取得処理の手順を示すフローチャートである。
【図１４】同実施形態において、受信機が実行する、個人向け広告提示アプリケーションによる提示処理の手順を示すフローチャートである。
【発明を実施するための形態】
【００１０】
以下、本発明を実施するための形態について、図面を参照して詳細に説明する。
図１は、本発明の一実施形態である受信機およびサーバ装置を適用した放送通信連携システムの概略の全体構成図である。同図に示すように、放送通信連携システム１は、放送局装置群１０と、送信アンテナ２０と、ネットワーク３０と、サービスサーバ群４０と、ネットワーク５０と、受信機６０と、端末装置９０とを含んで構成される。
実際には、受信機６０は多数存在するが、本実施形態では、図を簡略化して説明を簡潔にするため、３台の受信機６０（受信機６０−１〜６０−３と呼ぶ。）を含む例とする。
同図において、Ｕ１は受信機６０−１の視聴者、Ｕ２は受信機６０−２の視聴者である。Ｕ３は、受信機６０−３の視聴者であり、且つ端末装置９０の利用者（操作者）である。つまり、視聴者Ｕ３は、例えば、端末装置９０を利用（操作）しながら受信機６０−３を視聴する者である。
【００１１】
放送局装置群１０および送信アンテナ２０は、放送事業者である放送局が管理する装置群および設備である。サービスサーバ群４０は、放送局またはサービス事業者またはいずれか一方が管理する装置群である。受信機６０および端末装置９０は、視聴者が有する装置である。
【００１２】
放送通信連携システム１は、放送局が例えば統合デジタル放送サービス（Ｉｎｔｅｇｒａｔｅｄ  Ｓｅｒｖｉｃｅｓ  Ｄｉｇｉｔａｌ  Ｂｒｏａｄｃａｓｔｉｎｇ；ＩＳＤＢ）方式によって提供する放送サービスと、サービス事業者が提供する配信サービス（通信サービス）とを連携させた放送通信連携サービスを実現する。
【００１３】
例えば、放送通信連携サービスを受ける受信機６０は、放送サービスによって放送局装置群１０から供給される放送番組、すなわち番組コンテンツデータを取得する。番組コンテンツデータは、放送番組のコンテンツデータおよび各種制御情報を含む。この番組コンテンツデータには、広告コンテンツデータが組み込まれている。広告コンテンツデータは、放送局が番組を紹介する内容を含むコンテンツデータ、企業等が商品またはサービスを広告したり、企業イメージを宣伝したりする内容を含むコンテンツデータ等である。そして、受信機６０は、取得した番組コンテンツデータに対応付けられたアプリケーションプログラム（以下、アプリケーションという。）をサービスサーバ群４０から取得し、この取得したアプリケーションを実行する。アプリケーションは、受信機６０において放送通信連携サービスを実現させるための実行プログラムである。そして、受信機６０は、アプリケーションの実行によって指定される配信コンテンツデータをサービスサーバ群４０から取得し、番組コンテンツデータと配信コンテンツデータとを連動させたり対応付けしたりして再生する。
【００１４】
放送局装置群１０からサービスサーバ群４０に供給されるアプリケーション、すなわち放送局により提供されるアプリケーションを放送事業者提供アプリケーションという。また、サービス事業者または個人により制作されたアプリケーションをサービス事業者提供アプリケーションという。さらに、サービス事業者提供アプリケーションのうち、放送局によって認定されたアプリケーションを認定アプリケーション、放送局によって認定されていないアプリケーションを非認定アプリケーションという。
【００１５】
次に、放送通信連携システム１の各構成について説明する。
ネットワーク３０は、放送局装置群１０とサービスサーバ群４０とを接続する電気通信回線であり、事業者間ネットワークともいう。ネットワーク３０は、例えばＩＰ（Ｉｎｔｅｒｎｅｔ  Ｐｒｏｔｏｃｏｌ）により通信可能なコンピュータネットワークである。放送局装置群１０とサービスサーバ群４０とは、ネットワーク３０を通して通信を行う。
【００１６】
ネットワーク５０は、サービスサーバ群４０と受信機６０と端末装置９０とを接続する電気通信回線であり、インターネットにも接続されるコンピュータネットワークである。受信機６０とサービスサーバ群４０とは、ネットワーク５０を通して通信を行う。また、端末装置９０とサービスサーバ群４０とは、ネットワーク５０を通して通信を行う。また、端末装置９０と受信機６０−３とは、ネットワーク５０を通して、またはネットワーク５０とは別の通信路（ホームＬＡＮ、無線ＬＡＮ、Ｕｎｉｖｅｒｓａｌ  Ｓｅｒｉａｌ  Ｂｕｓ（ＵＳＢ）等）を通して通信を行う。
【００１７】
放送局装置群１０は、放送局、番組制作会社等により制作された放送のためのコンテンツに、このコンテンツおよびアプリケーションに関する各種制御情報を多重化したストリームを生成する。放送のためのコンテンツとして、放送局によって決定される放送スケジュールにしたがって放送される番組コンテンツと、放送スケジュールとは関係なく放送される緊急コンテンツとがある。緊急コンテンツは、例えば、緊急警報放送に用いられるコンテンツである。ストリームは、例えばＭＰＥＧ−２システム規格によるトランスポートストリーム（Ｔｒａｎｓｐｏｒｔ  Ｓｔｒｅａｍ；ＴＳ）である。
放送局装置群１０は、生成したストリームをデジタル放送の放送信号に変換し、この放送信号を送信アンテナ２０に送信する。
【００１８】
ここで、デジタル放送の放送信号の伝送プロトコルスタックについて説明する。上述したように、放送局装置群１０は、映像データ、音声データ、各種制御情報等を、例えば、トランスポートストリームパケット（ＴＳパケット）に格納し、これらＴＳパケットを時分割により多重伝送する。
ＴＳパケットには、セクションとしてＰｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ（ＰＳＩ／ＳＩ）が含まれる。ＰＳＩ／ＳＩは、ＴＳパケットに格納されるデータの種別を示す情報、コンテンツの種別を示す情報等を含む。
【００１９】
ＴＳパケットの伝送方式として、セクションを用いてデータを伝送する方式と、Ｐａｃｋｅｔｉｚｅｄ  Ｅｌｅｍｅｎｔａｒｙ  Ｓｔｒｅａｍ（ＰＥＳ）パケットを用いてデータを伝送する方式（データストリーム伝送方式）とがある。セクションを用いてデータを伝送する方式として、データカルーセル伝送方式と、イベントメッセージ伝送方式とがある。データカルーセル伝送方式は、放送局装置群１０が、一つまたは複数のデータ（モジュール）を一定周期で繰り返し伝送する方式である。イベントメッセージ伝送方式は、放送局装置群１０が受信機６０に対してトリガ信号を送信する方式である。イベントメッセージ伝送方式は、データ量が少ないメッセージを伝送する場合に用いられる方式である。データストリーム伝送方式は、映像データ、音声データ、字幕データ等のリアルタイム性を有するデータ、他のストリームとの同期を制御する制御情報等を伝送する場合に用いられる方式である。
【００２０】
なお、ストリームおよび放送信号の仕様は、例えば、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）標準規格によって規定されている。
【００２１】
また、放送局装置群１０は、放送局により制作および作成された、アプリケーション、配信用のコンテンツデータ（配信コンテンツデータ）、および広告制御情報を、サービスサーバ群４０に供給する。配信コンテンツデータは、例えば、既に放送された番組コンテンツデータ、広告コンテンツデータ等である。広告制御情報は、放送番組における広告コンテンツデータの提示開始時刻および提示終了時刻と、その放送番組において提示可能な広告コンテンツデータを識別する情報とを、放送番組ごとに対応付けた情報である。
【００２２】
送信アンテナ２０は、放送局装置群１０が送信した放送信号を受信し、この放送信号を放送電波に変換して空中に放射する。
【００２３】
サービスサーバ群４０は、放送局装置群１０から供給される、放送局により制作、作成されたアプリケーションおよび配信コンテンツデータ、ならびに広告制御情報を取り込んで記憶する。
また、サービスサーバ群４０は、サービス事業者により制作されたアプリケーションおよび配信コンテンツデータを記憶する。
【００２４】
また、サービスサーバ群４０は、受信機６０から供給されるアプリケーション取得要求に応じて選択されるアプリケーションを、取得要求元である受信機６０に供給する。
また、サービスサーバ群４０は、受信機６０から供給されるコンテンツ取得要求に応じて選択される配信コンテンツデータを、取得要求元である受信機６０に供給する。
同様にして、サービスサーバ群４０は、端末装置９０から供給されるアプリケーション取得要求に応じて選択されるアプリケーションを、取得要求元である端末装置９０に供給する。
また、サービスサーバ群４０は、端末装置９０から供給されるコンテンツ取得要求に応じて選択される配信コンテンツデータを、取得要求元である端末装置９０に供給する。
【００２５】
また、サービスサーバ群４０は、受信機６０から供給される、視聴者識別情報および受信機操作履歴情報を取り込む。視聴者識別情報は、詳しくは後述するが、視聴者を識別する情報である。受信機操作履歴情報は、受信機６０の操作を特定する情報（操作内容を示す情報）と、操作日時を示す情報とを含む履歴情報である。
【００２６】
また、サービスサーバ群４０は、端末装置９０から供給される、視聴者識別情報および端末利用履歴情報を取り込む。端末利用履歴情報は、端末装置９０の利用内容を示す情報と、利用日時を示す情報とを含む履歴情報である。
視聴者識別情報を共通とする受信機操作履歴情報および端末利用履歴情報は、視聴者識別情報に対応した視聴者による、操作に関する履歴情報であり、視聴者側履歴情報と呼ぶ。
【００２７】
サービスサーバ群４０は、視聴者識別情報ごとの視聴者側履歴情報（受信機操作履歴情報および端末利用履歴情報またはいずれか一方の情報）を解析することによって、視聴者識別情報に対応付けられた視聴者の興味、嗜好、関心、趣味等（以下、興味等と記載する。）を推定し、視聴者嗜好情報を生成する。この視聴者嗜好情報の具体例については、後述する。
サービスサーバ群４０は、視聴者識別情報ごとに、広告制御情報と視聴者嗜好情報とに基づいて、広告コンテンツデータを個人向け広告コンテンツデータとして選択する。つまり、サービスサーバ群４０は、視聴者ごとに、視聴者の興味等に関係または対応する内容を有し、且つ広告制御情報が示す広告時間に適合した広告コンテンツデータを、個人向け広告コンテンツデータとして選択する。
サービスサーバ群４０は、この選択した個人向け広告コンテンツデータを、対応する受信機６０および端末装置９０またはいずれか一方に供給する。
【００２８】
受信機６０は、放送アンテナ２０が送信した放送電波を受信してストリームを取得し、番組コンテンツデータおよび各種制御情報を取り込む。受信機６０は、取り込んだ番組コンテンツデータに対応付けられたアプリケーションをサービスサーバ群４０から取得して実行する。受信機６０は、アプリケーションの実行によって指定される配信コンテンツデータをサービスサーバ群４０から取得し、番組コンテンツデータと配信コンテンツデータとを連動させたり対応付けしたりして再生する。例えば、受信機６０は、放送番組における広告提示時間において視聴者に対応した個人向け広告を提示するアプリケーション（個人向け広告提示アプリケーション）を起動して実行する。この個人向け広告提示アプリケーションは、放送事業者提供アプリケーションである。個人向け広告提示アプリケーションを実行する受信機６０は、提示中の番組コンテンツにおける広告コンテンツを、自装置の視聴者の興味等に関係または対応する内容を有する広告コンテンツ（個人向け広告コンテンツ）に置き換えて提示する。
【００２９】
受信装置６０は、番組コンテンツデータおよび配信コンテンツデータの出力方法を、制御情報の一つであるアプリケーション提示制御情報に基づいて制御する。
受信機６０は、端末装置９０と接続されることにより、端末装置９０と連動して動作することができる。
【００３０】
受信機６０は、視聴者識別情報を記憶する。この視聴者識別情報は、自装置により放送番組を視聴する視聴者を識別する情報であり、例えば、受信機６０固有の装置識別情報である。または、視聴者識別情報は、視聴者によって受信機６０に設定される任意の識別情報である。例えば、図１において、受信機６０−１の視聴者は視聴者Ｕ１であり、受信機６０−１が記憶する視聴者識別情報は、視聴者Ｕ１を識別する情報である。
また、受信機６０は、通信接続された端末装置９０から視聴者識別情報を取り込み、この視聴者識別装置を自装置に設定して用いてもよい。
【００３１】
なお、視聴者識別情報として、単数の視聴者を識別する情報を用いてもよいし、複数の視聴者により構成されるグループを識別する情報を用いてもよい。このグループとは、例えば家族、複数の友人である。
【００３２】
受信機６０は、操作されるたびに、その操作を特定する情報と操作日時を示す情報とを、受信機操作履歴情報に追加登録する。受信機６０は、定期またはあらかじめ決められた時刻に、視聴者識別情報と受信機操作履歴情報とをサービスサーバ群４０に供給する。
【００３３】
受信機６０は、視聴者識別情報と受信機操作履歴情報とに基づいてサービスサーバ群４０が選択して供給した個人向け広告コンテンツデータを取り込む。そして、受信機６０は、番組コンテンツデータと個人向け広告コンテンツデータとを対応付けて再生する。
受信機６０は、例えば、テレビジョン受像機、セットトップボックス、コンピュータ装置、携帯端末等により実現される。
【００３４】
端末装置９０は、受信機６０と接続することにより、受信機６０と連動して動作することができる。
端末装置９０は、視聴者識別情報を記憶する。この視聴者識別情報は、自装置を利用する利用者を識別する情報であり、例えば、端末装置９０固有の装置識別情報である。または、その視聴者識別情報は、利用者によって端末装置９０に設定される任意の識別情報である。例えば、図１において、端末装置９０の利用者は視聴者Ｕ３であり、端末装置９０が記憶する視聴者識別情報は、視聴者Ｕ３を識別する情報である。
【００３５】
端末装置９０は、利用された内容を示す情報と利用日時を示す情報とを、端末利用履歴情報に追加登録する。端末装置９０は、定期もしくはあらかじめ決められた時刻、または利用されるたびに、視聴者識別情報と端末利用履歴情報とをサービスサーバ群４０に供給する。
【００３６】
端末装置９０は、視聴者識別情報と端末利用履歴情報とに基づいてサービスサーバ群４０が選択して供給した個人向け広告コンテンツデータを取り込む。そして、端末装置９０は、この個人向け広告コンテンツデータを再生する。
【００３７】
放送通信連携サービスでは、受信機６０は、番組コンテンツデータの表示領域（番組領域）と、アプリケーションおよび配信コンテンツデータの表示領域（アプリケーション領域）とを制御する。また、受信機６０は、番組コンテンツデータの音声出力と、アプリケーションおよび配信コンテンツデータの音声出力とを制御する。具体的に、受信機６０は、放送番組ごと、または放送番組とは非同期に、番組コンテンツデータおよび配信コンテンツデータの表示方法および音声出力方法（以下、これら両方法を出力方法と呼ぶこともある。）を制御する。
【００３８】
表示方法として、例えば、番組領域のみを表示する、番組領域とアプリケーション領域とを全部または部分的に重ね合わせて表示する、番組領域とアプリケーション領域とを重ね合わせることなく独立に表示する等の方法がある。
音声出力方法として、番組コンテンツデータの音声のみを出力する、番組コンテンツデータの音声とアプリケーションおよび配信コンテンツデータの音声とを独立に、または混合して出力する等の方法がある。
【００３９】
放送事業者が受信機６０に対して要求する表示方法および音声出力方法をポリシーと定義する。ポリシーには、番組コンテンツデータの内容の重要性や演出等に応じて複数の段階があり、これらの段階をポリシーレベルと呼ぶ。つまり、ポリシーレベルは、番組コンテンツデータの表示および音声出力に対して、アプリケーションの表示および音声出力を制限するレベルを示し、例えば整数値で表される。例えば、ポリシーレベルが高いとは、アプリケーションの表示および音声出力の規制のレベルが高い（規制が厳しい）ことを示す。例えば、緊急性や重要性が高い放送の番組コンテンツデータを優先的に表示させたい場合、放送局は、当該番組コンテンツデータに高いポリシーレベルを設定する。
【００４０】
次に、ポリシーレベルと表示方法との関係について、ポリシーレベルが“４”から“１”までの４段階により表される場合を例として説明する。
まず、ポリシーレベルが“４”である場合、受信機６０では、番組コンテンツデータの全画面表示のみが可能である。
また、ポリシーレベルが“３”である場合、受信機６０では、放送事業者提供アプリケーションおよび認定アプリケーションの表示が可能である。ただし、全てのアプリケーションについて、番組コンテンツデータへの重ね合わせ表示が禁止され、番組コンテンツの外側への表示のみが可能である。
また、ポリシーレベルが“２”である場合、受信機６０では、放送事業者提供アプリケーションおよび認定アプリケーションの表示が可能である。ただし、放送事業者提供アプリケーションのみ、番組コンテンツへの重ね合わせ表示が可能である。放送事業者提供アプリケーションを除くアプリケーションについては、番組コンテンツへの重ね合わせ表示が禁止され、番組コンテンツの外側への表示のみが可能である。
また、ポリシーレベルが“１”である場合、受信機６０では、放送事業者提供アプリケーションおよび認定アプリケーションの表示が可能である。放送事業者提供アプリケーションおよび認定アプリケーションの番組コンテンツへの重ね合わせ表示は可能である。
【００４１】
ポリシーレベル毎の音声出力方法は、例えば、以下のとおりである。
すなわち、ポリシーレベルが“４”または“３”である場合、受信機６０では、番組コンテンツデータのみ音声出力が可能である。
また、ポリシーレベルが“２”である場合、受信機６０では、放送事業者提供アプリケーションのみの音声出力が可能である。ただし、受信機６０は、番組コンテンツデータおよび配信コンテンツデータの音声を、切替えによって独立に出力する。
また、ポリシーレベルが“１”である場合、受信機６０では、放送事業者提供アプリケーションの音声出力と、認定アプリケーションの音声出力とが可能である。ただし、受信機６０は、放送事業者提供アプリケーションおよび認定アプリケーションとも、番組コンテンツデータおよび各アプリケーションの音声を、切替えによって独立に出力する。
【００４２】
次に、放送通信連携システム１において使用される各情報のデータ構成を説明する。
図２は、後述する放送局サービスサーバ１２が生成する広告制御情報のデータ構成を示す図である。
同図に示すように、広告制御情報は、広告提示時刻情報と、提示可能広告コンテンツ識別情報とを、番組識別情報に対応付けて含む。
番組識別情報は、放送番組を識別する情報である。広告提示時刻情報は、当該放送番組における個人向け広告コンテンツデータの提示時間を示す情報である。例えば、広告提示時刻情報は、提示開始時刻を示す開始時刻情報と、提示終了時刻を示す終了時刻情報とを含む。つまり、広告提示時刻情報は、個人向け広告コンテンツデータの提示開始時刻と提示終了時刻とを示す情報である。よって、提示時間は、提示開始時刻から始まる、提示終了時刻と提示開始時刻との差分時間である。開始時刻情報および終了時刻情報は、例えば、３３ビット表現の提示時刻情報（Ｐｒｅｓｅｎｔａｔｉｏｎ  Ｔｉｍｅ  Ｓｔａｍｐ；ＰＴＳ）により表される。なお、広告提示時刻情報を、開始時刻情報と、提示時間長を示す提示時間情報とを含む情報としてもよい。提示可能広告コンテンツ識別情報は、当該放送番組において、個人向け広告コンテンツデータとして提示可能な広告コンテンツデータの識別情報である。提示可能広告コンテンツ識別情報は、例えば、当該放送番組において、番組スポンサにより承認または許可された広告コンテンツデータの広告コンテンツ識別情報の一覧である。
【００４３】
図３は、受信機６０が生成する受信機操作履歴情報のデータ構成を示す図である。
同図に示すように、受信機操作履歴情報は、操作情報と、日時情報とを対応付けて含む。
操作情報は、視聴者による受信機６０の操作を特定する情報である。例えば、操作情報は、受信機６０が具備するリモートコントロール装置（以下、リモコン装置という。）のボタン、受信機６０の本体に備えられた操作パネルのボタン、または受信機６０の表示面に設けられたグラフィカルユーザインタフェース（Ｇｒａｐｈｉｃａｌ  Ｕｓｅｒ  Ｉｎｔｅｒｆａｓｅ；ＧＵＩ）によるＧＵＩボタンの操作により得られる、操作内容を示す情報である。具体的には、例えば、“電源オン”は、受信機６０の電源がオンされたことを示す情報である。また、“チャンネル番号“２””は、チャンネル２が選択されたことを示す情報である。また、“ボリュームアップ”は、音量調節ボタンのうち音量を上げるボタンが選択されたことを示す情報である。“電源オフ”は、受信機６０の電源がオフ（スタンバイ）されたことを示す情報である。日時情報は、操作された日付および時刻を特定する情報である。例えば、日時情報は、“年月日”および“時分秒”により表される。
【００４４】
図４は、端末装置９０が生成する端末利用履歴情報のデータ構成を示す図である。
同図に示すように、端末利用履歴情報は、利用情報と、日付情報とを対応付けて含む。
利用情報は、利用者（視聴者）による端末装置９０の利用内容を示す情報である。例えば、利用情報は、端末装置９０によってアクセスされたインターネットにおける資源（リソース）を特定するＵＲＬ（Ｕｎｉｆｏｒｍ  Ｒｅｓｏｕｒｃｅ  Ｌｏｃａｔｏｒ）情報である。このインターネットにおける資源は、例えば、利用者によりアクセスされたウェブサイト、ウェブログ、ライフログ、ソーシャルネットワーキングサービス（Ｓｏｃｉａｌ  Ｎｅｔｗｏｒｋｉｎｇ  Ｓｅｒｖｉｃｅ；ＳＮＳ）サイト、電子掲示板（Ｂｕｌｌｅｔｉｎ  Ｂｏａｒｄ  Ｓｙｓｔｅｍ；ＢＢＳ）である。日時情報は、利用された日付および時刻を特定する情報である。例えば、日時情報は、“年月日”および“時分秒”により表される。
【００４５】
図５は、後述する視聴者関連情報管理部４３１が記憶する視聴者関連情報のデータ構成を示す図である。
同図に示すように、視聴者関連情報は、受信機操作履歴情報と、端末利用履歴情報と、視聴者嗜好情報とを、視聴者識別情報に対応付けて含む。つまり、視聴者関連情報は、視聴者側履歴情報と視聴者嗜好情報とを、視聴者識別情報に対応付けて含む。
受信機操作履歴情報は、図３に示した受信機操作履歴情報である。端末利用履歴情報は、図４に示した端末利用履歴情報である。視聴者嗜好情報は、視聴者側履歴情報（受信機操作履歴情報および端末利用履歴情報またはいずれか一方の情報）に基づきサービスサーバ群４０によって生成された視聴者の興味等を示す情報である。視聴者嗜好情報の具体例については、後述する。視聴者識別情報は、受信機操作履歴情報および端末利用履歴情報に対応付けられる視聴者を識別する情報である。
【００４６】
図６は、後述する広告関連情報管理部４３２が生成する広告関連情報のデータ構成を示す図である。
同図に示すように、広告関連情報は、広告提示時刻情報と、提示可能広告コンテンツ識別情報と、視聴者識別情報と、視聴者嗜好情報とを、番組識別情報に対応付けて含む。つまり、広告関連情報は、図２に示した広告制御情報と、図５に示した視聴者関連情報における視聴者識別情報および視聴者嗜好情報とを対応付けた情報である。
【００４７】
図７は、広告関連情報管理部４３２が生成する個人向け広告管理情報のデータ構成を示す図である。
同図に示すように、個人向け広告管理情報は、番組識別情報と、広告提示時刻情報と、視聴者嗜好情報と、広告コンテンツ識別情報とを、視聴者識別情報に対応付けて含む。
広告コンテンツ識別情報は、個人向け広告コンテンツデータとして選択された広告コンテンツデータを識別する情報である。
【００４８】
図８は、後述する広告コンテンツサーバ４５が記憶する広告コンテンツ情報のデータ構成を示す図である。
同図に示すように、広告コンテンツ情報は、時間長と、特徴語と、広告コンテンツデータとを、広告コンテンツ識別情報に対応付けて含む。
時間長は、広告コンテンツデータの再生時間長である。時間長は、例えば、秒数で表してもよいし、ＰＴＳに対応する９０ＫＨｚのクロックにより１ずつ増加される数字で表してもよい。特徴語は、広告コンテンツデータの内容に合致または関係する、一つまたは複数のキーワードである。
【００４９】
次に、放送局装置群１０の構成について説明する。
図９は、放送局装置群１０の概略の機能構成を示すブロック図である。同図に示すように、放送局装置群１０は、放送設備１１と、放送局サービスサーバ（放送局装置）１２とを含んで構成される。
放送設備１１は、デジタル放送の放送信号を送信アンテナ２０に送信する設備である。具体的に、放送設備１１は、番組編成装置１１１と、番組送出装置１１２と、送信装置１１３とを含んで構成される。
【００５０】
番組編成装置１１１は、放送局、番組制作会社等により制作された番組コンテンツに、この番組コンテンツに関係する各種制御情報を多重化したストリームを生成する。ストリームがＴＳである場合、各種制御情報は、例えば、イベント情報テーブル（Ｅｖｅｎｔ  Ｉｎｆｏｒｍａｔｉｏｎ  Ｔａｂｌｅ；ＥＩＴ）、アプリケーション情報テーブル（Ａｐｐｒｉｃａｔｉｏｎ  Ｉｎｆｏｒｍａｔｉｏｎ  Ｔａｂｌｅ；ＡＩＴ）、アプリケーション提示制御情報等である。ＥＩＴは、番組コンテンツの名称（タイトル）、放送日時、ジャンル、内容説明（あらすじ）等の、番組コンテンツに関係するメタ情報を含む。ＡＩＴ（アプリケーション管理情報ともいう。）は、受信機６０が実行する一つまたは複数のアプリケーションに関する管理情報である。ＡＩＴは、アプリケーションごとに、アプリケーションを識別するアプリケーション識別情報、アプリケーションのネットワーク上の所在場所を示すロケーション情報（例えば、ＵＲＬ情報）等を含む。アプリケーション提示制御情報は、放送中の番組、放送信号に含まれるイベント、アプリケーションの提供者等に応じて、番組コンテンツデータおよび配信コンテンツデータの出力方法をどのように制御するかを示すデータである。アプリケーション提示制御情報は、例えば、前述したポリシーレベルを示す情報である。個人向け広告提示アプリケーションは放送事業者提供アプリケーションであり、アプリケーション領域が番組領域を含むよう重複するため、ポリシーレベルは、“２”または“１”である。
番組編成装置１１１は、生成したストリームを番組送出装置１１２に供給する。
【００５１】
また、番組編成装置１１１は、放送局により制作された番組表データ、放送事業者提供アプリケーション、および配信コンテンツデータを放送局サービスサーバ１２に供給する。
また、番組編成装置１１１は、放送局により作成された広告制御情報を放送局サービスサーバ１２に供給する。
【００５２】
番組送出装置１１２は、番組編成装置１１１から供給されるストリームを取り込む。そして、番組送出装置１１２は、ストリームが番組コンテンツのストリームである場合は、放送スケジュールにしたがってそのストリームを送信装置１１３に供給する。また、番組送出装置１１２は、ストリームが緊急コンテンツのストリームである場合は、例えば、イベントメッセージ伝送方式によってそのストリームを送信装置１１３に供給する。
【００５３】
番組送出装置１１２は、例えば緊急コンテンツを放送する場合に、緊急消去信号（緊急解除信号）を発生させてストリームに多重化し、このストリームを送信装置１１３に供給する。緊急消去信号は、個人向け広告提示アプリケーションを実行している受信機６０に対して、個人向け広告コンテンツデータの表示および音声出力を停止させるための信号である。
【００５４】
緊急消去信号を多重化する信号領域として、例えば以下の二つの例がある。第１の例として、番組送出装置１１２は、放送に関する付加情報の伝送路であるＡｕｘｉｌｉａｒｙ  Ｃｈａｎｎｅｌ（ＡＣ）に緊急消去信号を多重化する。第２の例として、番組送出装置１１２は、伝送制御用の信号であるＴｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ（ＴＭＣＣ）信号に緊急消去信号を多重化する。
【００５５】
送信装置１１３は、番組送出装置１１２から供給されるストリームを取り込み、このストリームを放送信号に変換して送信アンテナ２０に供給する。
【００５６】
放送局サービスサーバ１２は、番組編成装置１１１から供給される番組表データ、放送事業者提供アプリケーション、配信コンテンツデータ、および広告制御情報を取り込んで記憶する。また、放送局サービスサーバ１２は、サービスサーバ群４０からの要求に応じて、番組表データ、放送事業者提供アプリケーション、配信コンテンツデータ、および広告制御情報を読み出してサービスサーバ群４０に供給する。
放送局サービスサーバ１２は、例えば、コンピュータ装置、サーバ装置により実現される。
【００５７】
次に、サービスサーバ群４０の構成について説明する。
図１０は、サービスサーバ群４０の概略の機能構成を示すブロック図である。同図に示すように、サービスサーバ群４０は、アプリケーションサーバ（アプリケーション記憶装置）４１と、コンテンツサーバ４２と、個人向け広告管理サーバ（広告管理装置、外部装置）４３と、視聴者嗜好情報生成装置４４と、広告コンテンツサーバ（広告コンテンツ記憶装置）４５とを備える。
【００５８】
アプリケーションサーバ４１は、複数のアプリケーションを記憶するサーバ装置である。具体的には、アプリケーションサーバ４１は、放送局サービスサーバ１２から供給される放送事業者提供アプリケーションを取り込んで記憶する。また、アプリケーションサーバ４１は、サービス事業者または個人により提供されるアプリケーションを記憶する。
アプリケーションサーバ４１は、受信機６０からアプリケーション取得要求を取り込むと、このアプリケーション取得要求に示されるアプリケーションを読み出し、この読み出したアプリケーションを要求元の受信機６０に供給する。
また、アプリケーションサーバ４１は、端末装置９０からアプリケーション取得要求を取り込むと、このアプリケーション取得要求に示されるアプリケーションを読み出し、この読み出したアプリケーションを要求元の端末装置９０に供給する。
【００５９】
コンテンツサーバ４２は、複数の配信コンテンツデータを記憶するサーバ装置である。具体的には、コンテンツサーバ４２は、放送局サービスサーバ１２から供給される配信コンテンツデータを記憶する。また、コンテンツサーバ４２は、サービス事業者または個人により提供される配信コンテンツデータを記憶する。
コンテンツサーバ４２は、受信機６０からコンテンツ取得要求を取り込むと、このコンテンツ取得要求に示される配信コンテンツデータを読み出し、この読み出した配信コンテンツデータを要求元の受信機６０に供給する。
また、コンテンツサーバ４２は、端末装置９０からコンテンツ取得要求を取り込むと、このコンテンツ取得要求に示される配信コンテンツデータを読み出し、この読み出した配信コンテンツデータを要求元の端末装置９０に供給する。
【００６０】
個人向け広告管理サーバ４３は、受信機６０の視聴者の興味等に関係または対応する内容を有する広告コンテンツデータを選択し、この広告コンテンツデータを個人向け広告コンテンツデータとして受信機６０に対して通知する。受信機６０に端末装置９０が接続されている場合、個人向け広告管理サーバ４３は、個人向け広告コンテンツデータを端末装置９０に供給する。個人向け広告管理サーバ４３は、例えば、サーバ装置、コンピュータ装置により実現される。
個人向け広告管理サーバ４３は、その機能構成として、視聴者関連情報管理部４３１と、広告関連情報管理部４３２とを備える。
【００６１】
視聴者関連情報管理部４３１は、受信機６０から供給される視聴者識別情報と受信機操作履歴情報とを取り込む。また、受信機６０に端末装置９０が接続されている場合、視聴者関連情報管理部４３１は、端末装置９０から供給される視聴者識別情報と端末利用履歴情報とを取り込む。なお、以下、受信機６０に端末装置９０が接続されている例について説明する。視聴者関連情報管理部４３１は、それぞれ取り込んだ受信機操作履歴情報と端末利用履歴情報とを視聴者識別情報に対応付けて記憶する。視聴者関連情報管理部４３１は、視聴者嗜好情報生成装置４４が送信した履歴取得要求を受信すると、記憶してある視聴者識別情報と受信機操作履歴情報と端末利用履歴情報とを読み出し、これら視聴者識別情報と受信機操作履歴情報と端末利用履歴情報とを視聴者嗜好情報生成装置４４に供給する。
【００６２】
また、視聴者関連情報管理部４３１は、視聴者嗜好情報生成装置４４から供給される視聴者識別情報と視聴者嗜好情報とを取り込むと、視聴者識別情報をキーとして、受信機操作履歴情報と端末利用履歴情報と視聴者嗜好情報とを、視聴者関連情報に追加登録する。つまり、視聴者関連情報管理部４３１は、視聴者嗜好情報取得部を含む。
【００６３】
広告関連情報管理部４３２は、放送局サービスサーバ１２から供給される広告制御情報を取り込むと、視聴者関連情報管理部４３１から、視聴者関連情報に含まれる視聴者識別情報と視聴者嗜好情報とを読み込む。そして、広告関連情報管理部４３２は、広告制御情報と視聴者識別情報と視聴者嗜好情報とを用いて、広告提示時刻情報と提示可能広告コンテンツ識別情報と視聴者識別情報と視聴者嗜好情報とを、番組識別情報に対応付けた広告関連情報を生成する。
【００６４】
広告関連情報管理部４３２は、広告関連情報と、広告コンテンツサーバ４５に記憶された広告コンテンツ情報とに基づいて、視聴者の興味等に関係または対応する内容を有し、且つ放送番組の広告提示時間に合致する時間長を有する広告コンテンツデータを個人向け広告コンテンツデータとして選択する。例えば、広告関連情報管理部４３２は、広告提示時刻情報に含まれる開始時刻情報および終了時刻情報の時刻差分に合致する時間長を有する広告コンテンツデータであって、且つ提示可能広告コンテンツ識別情報と広告コンテンツ識別情報が一致する広告コンテンツデータを、広告コンテンツ情報から抽出する。そして、広告関連情報管理部４３２は、これら抽出した広告コンテンツデータから、視聴者嗜好情報との適合度が最も高い特徴語を有する広告コンテンツデータを選択する。
【００６５】
広告関連情報管理部４３２は、番組識別情報と、広告提示時刻情報と、視聴者嗜好情報と、選択した広告コンテンツデータに対応する広告コンテンツ識別情報とを、視聴者識別情報に対応付けた個人向け広告管理情報を生成する。そして、広告関連情報管理部４３２は、生成した個人向け広告管理情報を、視聴者識別情報に対応する受信機６０に供給する。
【００６６】
視聴者嗜好情報生成装置４４は、放送局装置群１０の放送局サービスサーバ１２から供給される番組表データを取り込む。また、視聴者嗜好情報生成装置４４は、視聴者関連情報管理部４３１に対して履歴取得要求を送信し、視聴者関連情報管理部４３１がその履歴取得要求を受信したことに応じて送信する視聴者識別情報と視聴者側履歴情報とを取り込む。そして、視聴者嗜好情報生成装置４４は、取り込んだ番組表データおよび視聴者側履歴情報に基づいてクラスタ分析処理を実行し、視聴者嗜好情報を生成する。
【００６７】
例えば、視聴者嗜好情報生成装置４４は、番組表データと受信機操作履歴情報とにより特定される、視聴番組の内容、視聴時間、チャンネルの切替えタイミング、電源の入切タイミング、音量調整のタイミングおよび調整内容等の視聴状態に基づいて、視聴者識別情報に対応する視聴者を複数のカテゴリのうちのいずれかに分類したり、視聴番組に関連するキーワードを選出したりする。
【００６８】
具体的には、例えば、視聴者嗜好情報生成装置４４は、例えば、視聴継続時間が長い番組に視聴者の興味等が含まれると判定する。また、視聴者嗜好情報生成装置４４は、番組視聴中にチャンネルが切替えられた場合、切替え元番組に視聴者の興味等は含まれない、または、切替え元番組よりも切替え先番組の方に視聴者の興味等が含まれると判定する。また、視聴者嗜好情報生成装置４４は、視聴中に音量アップの操作がされた場合、その番組またはその操作時付近におけるシーンに視聴者の興味等が含まれると判定する。視聴者嗜好情報生成装置４４は、番組やシーン等にカテゴリやキーワードを対応付けたデータベースをあらかじめ設ける。そして、視聴者嗜好情報生成装置４４は、視聴状態に対する判定結果を適用して、カテゴリを選択したり、キーワードを選択したりして、視聴者嗜好情報を生成する。
【００６９】
視聴者嗜好情報生成装置４４は、生成した視聴者嗜好情報と視聴者識別情報とを対応付けて視聴者関連情報管理部４３１に供給する。
なお、視聴者嗜好情報生成装置４４を個人向け広告管理サーバ４３に含めてもよい。
【００７０】
広告コンテンツサーバ４５は、広告コンテンツ情報を記憶するサーバ装置である。
広告コンテンツサーバ４５は、受信機６０から広告コンテンツ取得要求を取り込むと、この広告コンテンツ取得要求に含まれる広告コンテンツ識別情報に対応する広告コンテンツデータを広告コンテンツ情報から読出し、この広告コンテンツデータを要求元の受信機６０に供給する。
【００７１】
次に、受信機６０の構成について説明する。
図１１は、受信機６０の概略の機能構成を示すブロック図である。同図に示すように、受信機６０は、放送信号受信部６１と、放送系分離部６２と、放送系管理情報取得部６３と、提示制御部６４と、通信部６５と、通信系分離部６６と、通信系管理情報取得部６７と、管理情報記憶部６８と、記憶部６９と、操作信号受信部（操作信号取得部）７０と、音声制御部７１と、音声出力部７２と、表示制御部７３と、表示部７４と、アプリケーション実行制御部７５と、受信機操作履歴制御部（操作履歴制御部）７６と、受信機操作履歴情報生成部（履歴情報生成部）７７とを備える。
【００７２】
放送信号受信部６１は、例えば、受信機６０に接続された受信アンテナ（不図示）により放送電波を受信して得られた放送信号を取り込む。そして、放送信号受信部６１は、放送信号を復調してストリームを取得し、このストリームを放送系分離部６２に供給する。このストリームは、具体的には、例えばＴＳである。
【００７３】
放送系分離部６２は、放送信号受信部６１から供給されるストリームを取り込み、このストリームから番組コンテンツデータ等の各種情報を抽出する。つまり、放送系分離部６２は、番組コンテンツデータ取得部を含む。具体的に、放送系分離部６２は、ＴＳに含まれるＰＳＩ／ＳＩを参照してＴＳパケットのデータ種別を判別し、映像データ、音声データ、ＥＩＴ、番組識別情報、アプリケーション提示制御情報等の各種情報を抽出する。ここで抽出される映像データおよび音声データは、番組コンテンツデータに含まれるデータである。また、放送系分離部６２は、あらかじめ規定されているＡＩＴの伝送方法に応じて、セクションやＰＥＳを参照してＡＩＴを抽出する。
【００７４】
放送系分離部６２は、抽出した音声データを音声制御部７１に供給する。また、放送系分離部６２は、抽出した映像データを表示制御部７３に供給する。
また、放送系分離部６２は、ストリームから緊急消去信号を検出すると、この緊急消去信号をアプリケーション実行制御部７５に供給する。つまり、放送系分離部６２は、緊急消去信号検出部を含む。
【００７５】
放送系管理情報取得部６３は、放送系分離部６２から、ＥＩＴ、番組識別情報、ＡＩＴ等の管理情報（放送系管理情報）を取り込み、これら管理情報を管理情報記憶部６８に記憶させる。
提示制御部６４は、放送系分離部６２からアプリケーション提示制御情報を取り込み、このアプリケーション提示制御情報に基づき、個人向け広告コンテンツデータの提示を許可するかまたは禁止するかを示す指示情報をアプリケーション実行制御部７５に通知する。
通信部６５は、ネットワーク５０を介してサービスサーバ群４０または端末装置９０と通信するネットワークインタフェースである。また、通信部６５は、ネットワーク５０を介さずに、電波、赤外線、ホームネットワーク等により端末装置９０との間で通信するインタフェースである。
【００７６】
通信系分離部６６は、サービスサーバ群４０から通信部６５を介して供給されるデータを取り込んでデータの種類を判別し、この判別結果であるデータ種別に応じてデータから各種情報を分離する。具体的には、通信系分離部６６は、取り込んだデータがＴＳパケットであると判別した場合、映像データ、音声データ、番組識別情報等の各種データを抽出する。ここで抽出される映像データおよび音声データは、配信コンテンツデータに含まれるデータである。つまり、通信系分離部６６は、配信コンテンツデータ取得部を含む。また、通信系分離部６６は、取り込んだデータから、アプリケーションを抽出する。つまり、通信系分離部６６は、アプリケーション取得部を含む。通信系分離部６６は、抽出した映像データおよび音声データを記憶部６９に記憶させるか、アプリケーション実行制御部７５に供給する。また、通信系分離部６６は、抽出したアプリケーションを記憶部６９に記憶させるか、アプリケーション実行制御部７５に供給する。
【００７７】
通信系権利情報取得部６７は、通信系分離部６６が抽出した番組識別情報等の管理情報（通信系管理情報）を取り込み、これら管理情報を管理情報記憶部６８に記憶させる。
管理情報記憶部６８は、放送系管理情報取得部６３から供給されるＥＩＴ、番組識別情報、ＡＩＴ等の放送系管理情報を取り込んで記憶する。また、管理情報記憶部６８は、通信系管理情報取得部６７から供給される番組識別情報等の通信系管理情報を取り込んで記憶する。
記憶部６９は、通信系分離部６６から供給される配信コンテンツデータの映像データおよび音声データ、アプリケーションを記憶する。また、記憶部６９は、通信部６５から供給される各データ、例えば個人向け広告管理情報を取り込んで記憶する。つまり、記憶部６９は、広告管理情報取得部を含む。
管理情報記憶部６８および記憶部６９は、例えば、半導体記憶装置により実現される。
【００７８】
操作信号受信部７０は、受信機６０を操作する操作機器（不図示）から送信される操作信号を受信する。そして、操作信号受信部７０は、その操作信号からコードを抽出し、このコードをアプリケーション実行制御部７５に供給する。操作機器は、例えば、受信機６０を遠隔操作するリモコン装置、受信機６０の本体に備えられた操作パネル、表示部７４に対応付けられたＧＵＩである。
【００７９】
音声制御部７１は、アプリケーション実行制御部７５から指定される音声出力方法にしたがって、番組コンテンツデータ、アプリケーション、および配信コンテンツデータの音声を音声出力部７２から出力させる。
音声出力部７２は、音声制御部７１から供給される音声を出力する。音声出力部７２は、例えば、増幅器、スピーカ等の音響装置により実現される。
【００８０】
表示制御部７３は、アプリケーション実行制御部７５から指定される表示方法にしたがって、番組コンテンツデータ、アプリケーション、および配信コンテンツデータの映像または静止画像を表示部７４に表示させる。
表示部７４は、表示制御部７３から供給される映像または静止画像を表示する。表示部７４は、例えば、液晶表示装置により実現される。
【００８１】
音声制御部７１と音声出力部７２と表示制御部７３と表示部７４とは、提示部である。
【００８２】
アプリケーション実行制御部７５は、管理情報記憶部６８から読み込んだＡＩＴまたは操作信号受信部７０から供給されたコードによる実行指示に基づいてサービスサーバ群４０にアプリケーションを要求する。また、アプリケーション実行制御部７５は、取得したアプリケーションの実行を制御する。例えば、アプリケーション実行制御部７５は、個人向け広告提示アプリケーションを起動した場合、管理情報記憶部６８から番組識別情報、記憶部６９から視聴者識別情報をそれぞれ読み込んで個人向け広告提示アプリケーションを実行する。
【００８３】
アプリケーション実行制御部７５は、個人向け広告提示アプリケーションの実行により、記憶部６９から個人向け広告管理情報を読み込む。そして、アプリケーション実行制御部７５は、読み込んだ個人向け広告管理情報に含まれる、開始時刻情報が示す提示開始時刻から終了時刻情報が示す提示終了時刻までの提示時間を除く時間において、番組コンテンツデータを提示するよう音声制御部７１および表示制御部７３を制御する。また、アプリケーション実行制御部７５は、個人向け広告コンテンツデータの提示を許可することを示す指示情報を提示制御部６４から通知された場合に、提示時間内において個人向け広告コンテンツデータを提示するよう音声制御部７１および表示制御部７３を制御する。また、アプリケーション実行制御部７５は、個人向け広告コンテンツデータの提示を禁止することを示す指示情報を提示制御部６４から通知された場合に、提示時間内において番組コンテンツデータを提示するよう音声制御部７１および表示制御部７３を制御する。
【００８４】
また、アプリケーション実行制御部７５は、操作信号受信部７０から供給されるコードを取り込むと、そのコードを操作情報として受信機操作履歴情報生成部７７に供給する。
また、アプリケーション実行制御部７５は、取り込んだコードが個人向け広告コンテンツデータの提示を禁止することを示す個人向け広告提示禁止情報である場合、個人向け広告コンテンツデータの提示処理を禁止する。また、アプリケーション実行制御部７５は、取り込んだコードが個人向け広告コンテンツデータの提示を許可することを示す個人向け広告提示許可情報である場合、個人向け広告コンテンツデータの提示処理を許可する。つまり、アプリケーション実行制御部７５は、広告コンテンツ提示制御部を含む。
また、アプリケーション実行制御部７５は、取り込んだコードが、受信機操作履歴情報が有効であることを示す操作履歴有効情報と、受信機操作履歴情報が無効であることを示す操作履歴無効情報とのいずれかである場合、当該情報を受信機操作履歴制御部７６に対して供給する。
【００８５】
また、アプリケーション実行制御部７５は、個人向け広告提示アプリケーションを実行中であり、且つ放送系分離部６２から緊急消去信号を取り込むと、ただちに個人向け広告提示アプリケーションの実行を停止させて個人向け広告コンテンツデータの提示を停止させる。つまり、アプリケーション実行制御部７５は、アプリケーション強制停止制御部を含む。
【００８６】
受信機操作履歴制御部７６は、受信機操作履歴情報生成部７７による受信機操作履歴情報の生成処理を制御する。具体的には、受信機操作履歴制御部７６は、アプリケーション実行制御部７５から供給される操作履歴有効情報または操作履歴無効情報を取り込む。受信機操作履歴制御部７６は、操作履歴有効情報を取り込むと、受信機操作履歴情報の生成処理を許可する信号である操作履歴情報生成許可信号を受信機操作履歴情報生成部７７に供給する。また、受信機操作履歴制御部７６は、操作履歴無効情報を取り込むと、受信機操作履歴情報の生成処理を禁止する信号である操作履歴情報生成禁止信号を受信機操作履歴情報生成部７７に供給する。
【００８７】
受信機操作履歴情報生成部７７は、受信機操作履歴情報を生成して記憶する。そして、受信機操作履歴情報生成部７７は、定期またはあらかじめ決められた時刻に、記憶した受信機操作履歴情報を読み出し、この受信機操作履歴情報を視聴者側履歴情報供給部である通信部６５に供給する。
【００８８】
具体的に、受信機操作履歴情報生成部７７は、図示しない計時部を備える。計時部は、現在日時（例えば“年月日時分秒”）を計測する。受信機操作履歴情報生成部７７は、受信機操作履歴制御部７６から供給される操作履歴情報生成許可信号を取り込むと、受信機操作履歴情報の生成処理を実行する。受信機操作履歴情報の生成処理として、具体的には、受信機操作履歴情報生成部７７は、アプリケーション実行制御部７５から供給される操作情報を取り込むと、その取り込んだタイミングで計時部から現在日時を取得する。そして、受信機操作履歴情報生成部７７は、操作情報と現在日時とを対応付けた受信機操作履歴情報を生成し、この受信機操作履歴情報を記憶する。受信機操作履歴情報生成部７７は、定期またはあらかじめ定められた時刻に、受信機操作履歴情報を読み出して通信部６５に供給する。
また、受信機操作履歴情報生成部７７は、受信機操作履歴制御部７６から供給される操作履歴情報生成禁止信号を取り込むと、受信機操作履歴情報の生成処理を実行せず、且つ通信部６５に対する受信機操作履歴情報の供給も実行しない。
【００８９】
次に、放送通信連携システム１の動作について説明する。
まず、受信機６０と端末装置９０と個人向け広告管理サーバ４３とが実行する処理について説明する。
受信機６０は、視聴者により操作されるたびに、その操作に対する操作情報と操作日時を示す情報とを、受信機操作履歴情報に追加登録する。そして、受信機６０は、定期（例えば、１０分ごと）またはあらかじめ決められた時刻（例えば、毎時０分）に、視聴者識別情報と受信機操作履歴情報とを、個人向け広告管理サーバ４３の視聴者関連情報管理部４３１に供給する。
【００９０】
また、端末装置９０は、利用された内容を示す情報と利用日時を示す情報とを、端末利用履歴情報に追加登録する。端末装置９０は、定期（例えば、１０分ごと）もしくはあらかじめ決められた時刻（例えば、毎時０分）、または利用されるたびに、視聴者識別情報と端末利用履歴情報とを、視聴者関連情報管理部４３１に供給する。
【００９１】
視聴者関連情報管理部４３１は、受信機６０から定期または指定時刻に供給される、視聴者識別情報と受信機操作履歴情報とを取り込み、また、端末装置９０から供給される、視聴者識別情報と端末利用履歴情報とを取り込む。次に、視聴者関連情報管理部４３１は、これら取り込んだ受信機操作履歴情報と端末利用履歴情報とを、共通する視聴者識別情報に対応付けた視聴者関連情報を生成して記憶する。ただし、視聴者関連情報管理部４３１は、例えば、一定期間分で最新の視聴者関連情報を記憶している。
【００９２】
次に、個人向け広告管理サーバ４３および視聴者嗜好情報生成装置４４が実行する処理について説明する。
図１２は、個人向け広告管理サーバ４３および視聴者嗜好情報生成装置４４が実行する、視聴者嗜好情報の生成・取得処理の手順を示すフローチャートである。
【００９３】
まず、個人向け広告管理サーバ４３の視聴者関連情報の取得処理について説明する。
ステップＳ２１において、視聴者関連情報管理部４３１は、視聴者嗜好情報生成装置４４が送信した履歴取得要求を受信すると、この履歴取得要求を取り込む。
次に、ステップＳ２２において、視聴者関連情報管理部４３１は、記憶された視聴者関連情報から、視聴者識別情報と、受信機操作履歴情報および端末利用履歴情報またはいずれか一方の情報（視聴者側履歴情報）とを抽出し、これら視聴者識別情報と視聴者側履歴情報とを視聴者嗜好情報生成装置４４に供給する。
次に、ステップＳ２３において、視聴者関連情報管理部４３１は、視聴者嗜好情報生成装置４４が送信した視聴者識別情報と視聴者嗜好情報とを受信すると、これら視聴者識別情報と視聴者嗜好情報とを取り込む。
次に、ステップＳ２４において、視聴者関連情報管理部４３１は、視聴者識別情報をキーとして視聴者嗜好情報を視聴者関連情報に追加登録する。
【００９４】
次に、視聴者嗜好情報生成装置４４の視聴者嗜好情報の生成処理について説明する。
ステップＳ４１において、放送局サービスサーバ１２から供給された番組表データを取り込んだ視聴者嗜好情報生成装置４４は、個人向け広告管理サーバ４３の広告関連情報管理部４３２に対して履歴取得要求を送信する。
次に、ステップＳ４２において、視聴者嗜好情報生成装置４４は、視聴者関連情報管理部４３１が送信した、視聴者識別情報と視聴者側履歴情報とを受信すると、これら視聴者識別情報と視聴者側履歴情報とを取り込む。
次に、ステップＳ４３において、視聴者嗜好情報生成装置４４は、取り込んだ視聴者側履歴情報に基づきクラスタ分析処理を実行し、視聴者嗜好情報を生成する。
次に、ステップＳ４４において、視聴者嗜好情報生成装置４４は、視聴者識別情報と視聴者嗜好情報とを視聴者関連情報管理部４３１に対して送信する。
【００９５】
次に、個人向け広告管理サーバ４３および受信機６０が実行する処理について説明する。
図１３は、個人向け広告管理サーバ４３および受信機６０が実行する、個人向け広告管理情報の生成・取得処理の手順を示すフローチャートである。
【００９６】
まず、個人向け広告管理サーバ４３の個人向け広告管理情報の生成処理について説明する。
ステップＳ６１において、広告関連情報管理部４３２は、放送局サービスサーバ１２が送信した広告制御情報を受信すると、この広告制御情報を取り込む。
次に、ステップＳ６２において、広告関連情報管理部４３２は、視聴者関連情報管理部４３１から、視聴者関連情報に含まれる視聴者識別情報と視聴者嗜好情報とを読み込む。
次に、広告関連情報管理部４３２は、広告制御情報と視聴者識別情報と視聴者嗜好情報とを用いて、広告提示時刻情報と提示可能広告コンテンツ識別情報と視聴者識別情報と視聴者嗜好情報とを、番組識別情報に対応付けた広告関連情報を生成する。
【００９７】
次に、ステップＳ６３において、広告関連情報管理部４３２は、広告関連情報と、広告コンテンツサーバ４５に記憶された広告コンテンツ情報とに基づいて、個人向け広告コンテンツデータを選択する。例えば、広告関連情報管理部４３２は、広告提示時刻情報に含まれる開始時刻情報および終了時刻情報の時刻差分に合致する時間長を有する広告コンテンツデータであって、且つ提示可能広告コンテンツ識別情報と広告コンテンツ識別情報が一致する広告コンテンツデータを、広告コンテンツ情報から抽出する。
次に、広告関連情報管理部４３２は、これら抽出した広告コンテンツデータから、視聴者嗜好情報との適合度が最も高い特徴語を有する広告コンテンツデータを選択する。
次に、広告関連情報管理部４３２は、番組識別情報と、広告提示時刻情報と、視聴者嗜好情報と、選択した広告コンテンツデータに対応する広告コンテンツ識別情報とを、視聴者識別情報に対応付けた個人向け広告管理情報を生成する。
【００９８】
次に、ステップＳ６４において、広告関連情報管理部４３２は、個人向け広告管理情報を受信機６０に対して送信する。
【００９９】
次に、受信機６０の個人向け広告管理情報の取得処理について説明する。
ステップＳ８１において、受信機６０の通信部６５は、広告関連情報管理部４３２が送信した個人向け広告管理情報を受信すると、この個人向け広告管理情報を取り込む。
次に、ステップＳ８２において、通信部６５は、取り込んだ個人向け広告管理情報を記憶部６９に記憶させる。
【０１００】
次に、受信機６０が実行する個人向け広告提示アプリケーションによる提示処理について説明する。
図１４は、受信機６０が実行する、個人向け広告提示アプリケーションによる提示処理の手順を示すフローチャートである。
放送信号受信部６１は、放送信号を取り込むと（Ｓ１０１：ＹＥＳ）、ステップＳ１０２の処理に移す。
ステップＳ１０２において、放送信号受信部６１は、取り込んだ放送信号を復調してストリームを取得し、このストリームを放送系分離部６２に供給する。
【０１０１】
次に、ステップＳ１０３において、放送系分離部６２は、放送信号受信部６１から供給されたストリームを取り込み、このストリームから番組コンテンツデータの映像データおよび音声データ、ＥＩＴ、番組識別情報、アプリケーション提示制御情報等の各種情報を抽出する。また、放送系分離部６２は、あらかじめ規定されているＡＩＴの伝送方法に応じて、セクションやＰＥＳを参照してＡＩＴを抽出する。
放送系分離部６２は、抽出した音声データを音声制御部７１に供給し、また抽出した映像データを表示制御部７３に供給する。
放送系管理情報取得部６３は、放送系分離部６２から、ＥＩＴ、番組識別情報、ＡＩＴ等の放送系管理情報を取り込み、これら放送系管理情報を管理情報記憶部６８に記憶させる。
提示制御部６４は、放送系分離部６２からアプリケーション提示制御情報を取り込む。
【０１０２】
次に、ステップＳ１０４において、アプリケーション実行制御部７５は、記憶部６９から個人向け広告管理情報を読み込む。
次に、ステップＳ１０５において、提示制御部６４は、アプリケーション提示制御情報に基づいて個人向け広告コンテンツデータ提示を許可するかまたは禁止するかを示す指示情報をアプリケーション実行制御部７５に通知する。例えば、アプリケーション提示制御情報におけるポリシーレベルが“２”または“１”である場合、提示制御部６４は、個人向け広告コンテンツデータの提示を許可することを示す指示情報をアプリケーション実行制御部７５に通知する。また、アプリケーション提示制御情報におけるポリシーレベルが“４”または“３”である場合、提示制御部６４は、個人向け広告コンテンツデータの提示を禁止することを示す指示情報をアプリケーション実行制御部７５に通知する。
【０１０３】
次に、ステップＳ１０６において、アプリケーション実行制御部７５は、個人向け広告管理情報に含まれる広告コンテンツ識別情報を含めた広告コンテンツ取得要求を生成し、この広告コンテンツ取得要求を通信部６５に供給する。そして、通信部６５は、アプリケーション実行制御部７５から供給された広告コンテンツ取得要求を取り込み、この広告コンテンツ取得要求を広告コンテンツサーバ４５に対して送信する。
【０１０４】
通信部６５は、広告コンテンツデータを取り込むと（Ｓ１０７：ＹＥＳ）、ステップＳ１０８の処理に移す。
ステップＳ１０８において、アプリケーション実行制御部７５は、提示制御部６４による提示制御に基づき、個人向け広告管理情報に含まれる広告提示時刻情報にしたがって、広告コンテンツデータに含まれる、音声データを音声制御部７１に供給し、映像データを表示制御部７３に供給する。
【０１０５】
以上、説明したように、本発明の一実施形態における放送通信連携システム１において、受信機６０は、個人向けコンテンツ提示アプリケーションをアプリケーションサーバ４１から取得して実行することにより、定期またはあらかじめ決められた時刻に、受信機操作履歴情報を個人向け広告管理サーバ４３に供給する。
【０１０６】
受信機操作履歴情報を取り込んだ個人向け広告管理サーバ４３は、その受信機操作履歴情報を視聴者嗜好情報生成装置４４に供給し、その受信機操作履歴情報を取得した視聴者嗜好情報生成装置４４から視聴者嗜好情報を取得する。また、個人向け広告管理サーバ４３は、放送局サービスサーバ１２から広告制御情報を取り込む。そして、個人向け広告管理サーバ４３は、広告制御情報と視聴者嗜好情報とに基づいて、広告コンテンツサーバ４５に記憶された広告コンテンツ情報から個人向け広告コンテンツデータを選択し、個人向け広告管理情報を生成する。個人向け広告コンテンツデータは、番組コンテンツデータにおける広告コンテンツデータの提示時間に一致し、且つ視聴者の興味等に関係または対応した内容を有する広告コンテンツデータである。
【０１０７】
受信機６０は、個人向け広告管理サーバ４３から供給される個人向け広告管理情報を取り込んで記憶する。そして、受信機６０は、広告管理情報に基づいて個人向け広告コンテンツデータを広告コンテンツサーバ４５から取り込み、番組コンテンツデータに含まれる広告コンテンツデータのみを個人向け広告コンテンツデータに置き換えて提示する。
【０１０８】
このように構成したことにより、本実施形態である受信機６０によれば、視聴者の興味、嗜好、関心、趣味等に関係または対応した内容を有する個人向け広告を、放送番組にあらかじめ組み込まれている通常の広告に置き換えて提示することができる。すなわち、放送通信連携サービスを受ける視聴者は、放送番組の視聴において、自分に適した内容の広告を視聴することができる。
【０１０９】
なお、放送局装置群１０は、広告制御情報に含まれる番組識別情報と広告提示時刻情報とを、ＥＩＴに含めてもよい。また、放送局装置群１０は、番組識別情報と広告提示時刻情報とを、イベントメッセージ伝送方式により送信してもよい。
【０１１０】
また、番組編成装置１１１は、ＡＩＴをＥＩＴに含めて多重化してもよい。また、放送設備１１は、データカルーセル伝送方式によりＡＩＴを送信してもよい。この場合、放送設備１１は、受信機６０がＡＩＴを検出できるようモジュールにＡＩＴの識別情報を付加する。また、番組編成装置１１１は、ＡＩＴをＰＥＳに含めて多重化してもよい。また、番組編成装置１１１は、ＡＩＴをバイナリまたはＸＭＬ（Ｅｘｔｅｎｓｉｂｌｅ  Ｍａｒｋｕｐ  Ｌａｎｇｕａｇｅ）によるテキストによって生成し、この生成したＡＩＴをＴＳパケットに多重化してもよい。
また、コンテンツサーバ４２が、受信機６０からのＡＩＴの取得要求を受けたことに応じて、ＡＩＴを多重化した番組コンテンツデータを受信機６０に供給するようにしてもよい。
【０１１１】
以上、本発明の実施の形態について図面を参照して詳述したが、具体的な構成はその実施形態に限られるものではなく、本発明の要旨を逸脱しない範囲の設計等も含まれる。
【符号の説明】
【０１１２】
１  放送通信連携システム
１０  放送局装置群
１１  放送設備
１２  放送局サービスサーバ（放送局装置）
２０  送信アンテナ
３０  ネットワーク
４０  サービスサーバ群
４１  アプリケーションサーバ（アプリケーション記憶装置）
４２  コンテンツサーバ
４３  個人向け広告管理サーバ（広告管理装置、外部装置）
４４  視聴者嗜好情報生成装置
４５  広告コンテンツサーバ（広告コンテンツ記憶装置）
５０  ネットワーク
６０−１〜６０−３  受信機
６１  放送信号受信部
６２  放送系分離部
６３  放送系管理情報取得部
６４  提示制御部
６５  通信部
６６  通信系分離部
６７  通信系管理情報取得部
６８  管理情報記憶部
６９  記憶部
７０  操作信号受信部（操作信号取得部）
７１  音声制御部
７２  音声出力部
７３  表示制御部
７４  表示部
７５  アプリケーション実行制御部
７６  受信機操作履歴制御部（操作履歴制御部）
７７  受信機操作履歴情報生成部（履歴情報生成部）
９０  端末装置
１１１  番組編成装置
１１２  番組送出装置
１１３  送信装置
４３１  視聴者関連情報管理部
４３２  広告関連情報管理部
【図１】
0005891041.tif 000002
【図２】
0005891041.tif 000003
【図３】
0005891041.tif 000004
【図４】
0005891041.tif 000005
【図５】
0005891041.tif 000006
【図６】
0005891041.tif 000007
【図７】
0005891041.tif 000008
【図８】
0005891041.tif 000009
【図９】
0005891041.tif 000010
【図１０】
0005891041.tif 000011
【図１１】
0005891041.tif 000012
【図１２】
0005891041.tif 000013
【図１３】
0005891041.tif 000014
【図１４】
0005891041.tif 000015